(57)【要約】  【課題】  カートリッジ式文房具において、不用意にカートリッジが外れることなく、且つカートリッジの容積を大きくとることができるようにする。  【解決手段】  本体１２と、本体１２に着脱自在のカートリッジ２０とを有するカートリッジ式文房具において、カートリッジ２０は本体１２の開口１２ａから挿入可能となっており、本体１２には係止溝１２ｃが形成され、カートリッジ２０には、係止溝１２ｃに挿入される係止突起２０ｃが形成されており、係止溝１２ｃは、開口１２ａ付近から軸方向に伸びる第１溝部１２ｃ１と、第１溝部１２ｃ１から第１溝部１２ｃ１と角度をなすように伸びる第２溝部１２ｃ２とから構成される。【選択図】  図３
2005096192.tif 000002
【特許請求の範囲】
【請求項１】
本体（１２）と、該本体（１２）に着脱自在のカートリッジ（２０）とを有するカートリッジ式文房具において、
カートリッジ（２０）は本体（１２）の開口（１２ａ）から挿入可能となっており、
カートリッジ（２０）及び本体（１２）のいずれか一方には、係止溝（１２ｃ）が形成され、カートリッジ（２０）及び本体（１２）の他方には、係止溝（１２ｃ）に挿入される係止突起（２０ｃ）が形成されており、
前記係止溝（１２ｃ）は、開口（１２ａ）付近からカートリッジ挿入方向に伸びる第１溝部（１２ｃ１）と、第１溝部（１２ｃ１）から第１溝部（１２ｃ１）と角度をなすように伸びる第２溝部（１２ｃ２）とから構成される、
ことを特徴とするカートリッジ式文房具。
【請求項２】
カートリッジ（２０）の本体（１２）よりも突出する使用先端部（２０ａ）には、着脱自在にキャップ（２２）が被着されることを特徴とする請求項１記載のカートリッジ式文房具。
【請求項３】
前記キャップ（２２）は、被着状態で、本体（１２）に対して回転不能であることを特徴とする請求項２記載のカートリッジ式文房具。
【請求項４】
前記キャップ（２２）は、被着状態で、前記係止溝（１２ｃ）と係止突起（２０ｃ）とを覆うことを特徴とする請求項２または３記載のカートリッジ式文房具。
【請求項５】
前記キャップ（２２）は、被着状態で、本体（１２）の外側へと伸びる耳部（２２ｄ）を備えることを特徴とする請求項２ないし４のいずれか１項に記載のカートリッジ式文房具。
【請求項６】
前記耳部（２２ｄ）は、前記係止溝（１２ｃ）と前記係止突起（２０ｃ）とを外側から覆うことを特徴とする請求項５記載のカートリッジ式文房具。
【請求項７】
前記係止溝（１２ｃ）が形成されたカートリッジ（２０）及び本体（１２）のいずれか一方には、前記第２溝部（１２ｃ２）の近傍に開口（１２ｉ）が形成されることを特徴とする請求項１ないし６のいずれか１項に記載のカートリッジ式文房具。
【請求項８】
第１溝部（１２ｃ１）と第２溝部（１２ｃ２）との境界部には、その溝幅が係止突起（２０ｃ）の外径よりも小さくなった幅狭部（１２ｊ）が形成されることを特徴とする請求項１ないし７のいずれか１項に記載のカートリッジ式文房具。
【請求項９】
カートリッジ（２０）の挿入端と本体（１２）の内部との間には、クッション部が設けられ、該クッション部によってカートリッジ（２０）は、本体（１２）脱出方向へと付勢されることを特徴とする請求項１ないし８のいずれか１項に記載のカートリッジ式文房具。
【請求項１０】
前記クッション部は、カートリッジ（２０）の挿入端に一体に形成されたものであることを特徴とする請求項９記載のカートリッジ式文房具。
【請求項１１】
前記クッション部は、カートリッジ（２０）の挿入端と本体（１２）の内部との間に介挿されるスプリング（４０）であることを特徴とする請求項９記載のカートリッジ式文房具。
【発明の詳細な説明】
【技術分野】
【０００１】
本発明は、着脱自在のカートリッジを備えたカートリッジ式文房具に関する。
【背景技術】
【０００２】
従来、この種のカートリッジ式文房具としては、特許文献１及び図１１に記載されたものがある。この特許文献１に記載されたものは、修正テープ塗布具であって、図１１に示すように、その修正テープ塗布具が本体５０と、該本体５０から着脱可能となり使い捨てで交換可能な部品であるカートリッジ６０と、から構成されている。カートリッジ６０は、本体５０の後端に形成された後端開口５０ａから本体５０内へと挿入されており、本体５０の先端に形成された先端開口５０ｂからカートリッジ６０の使用に供される使用先端部６０ａが突出している。また、このカートリッジ６０の弾性突起６０ｂが、その後端開口５０ａの近傍に形成された係止孔５０ｃに係止する。このカートリッジ６０を本体５０から取り外すには、カートリッジ６０の両端に設けられた一対の弾性腕部６０ｃをそれぞれ互いに向かう合う方向に押し付けて、前記弾性突起６０ｂの係止孔５０ｃからの係止を外しつつ、本体５０から引っ張ることにより、行うことができる。
【０００３】
【特許文献１】特開平１０−８１０９９号公報
【発明の開示】
【発明が解決しようとする課題】
【０００４】
しかしながら、上記公報に記載された構成のものは、弾性突起６０ｂの係止孔５０ｃへの係止によってカートリッジ６０を本体５０内に収納しているが、弾性腕部６０ｃの復元力が弱いと不用意にカートリッジ６０が本体５０から外れるおそれがあるという問題がある。また、カートリッジ６０に弾性腕部６０ｃを形成するためには、弾性腕部６０ｃとカートリッジ６０の他の部分との間に、必ず、弾性腕部６０ｃが揺動するための隙間を設ける必要があり、結果として、カートリッジ６０の実質的な正味容積が制限されるという問題がある。特に、カートリッジ６０が収納されるべき本体５０の容積が小さいときには、カートリッジ６０の正味容積が一層制限されてしまうことになる。
【０００５】
本発明は、かかる課題に鑑みなされたもので、その目的は、カートリッジ式文房具において、不用意にカートリッジが外れることなく、且つカートリッジの容積を大きくとることができるカートリッジ式文房具を提供することである。
【課題を解決するための手段】
【０００６】
上記目的を達成するために、本発明のうち請求項１記載の発明は、本体と、該本体に着脱自在のカートリッジとを有するカートリッジ式文房具において、カートリッジは本体の開口から挿入可能となっており、カートリッジ及び本体のいずれか一方には、係止溝が形成され、カートリッジ及び本体の他方には、係止溝に挿入される係止突起が形成されており、前記係止溝は、開口付近からカートリッジ挿入方向に伸びる第１溝部と、第１溝部から第１溝部と角度をなすように伸びる第２溝部とから構成されることを特徴とする。
【０００７】
請求項２記載の発明は、請求項１記載のものにおいて、カートリッジの本体よりも突出する使用先端部には、着脱自在にキャップが被着されることを特徴とする。
請求項３記載の発明は、請求項２記載のキャップが、被着状態で、本体に対して回転不能であることを特徴とする。
【０００８】
請求項４記載の発明は、請求項２または３記載のキャップが、被着状態で、前記係止溝と係止突起とを覆うことを特徴とする。
請求項５記載の発明は、請求項２ないし４のいずれかに記載のキャップが、被着状態で、本体の外側へと伸びる耳部を備えることを特徴とする。
【０００９】
請求項６記載の発明は、請求項５記載の前記耳部が、前記係止溝と前記係止突起とを外側から覆うことを特徴とする。
請求項７記載の発明は、請求項１ないし６のいずれか１項に記載のものにおいて、前記係止溝が形成されたカートリッジ及び本体のいずれか一方には、前記第２溝部の近傍に開口が形成されることを特徴とする。
【００１０】
請求項８記載の発明は、請求項１ないし７のいずれか１項に記載のものにおいて、第１溝部と第２溝部との境界部には、その溝幅が係止突起の外径よりも小さくなった幅狭部が形成されることを特徴とする。
請求項９記載の発明は、請求項１ないし８のいずれか１項に記載のものにおいて、カートリッジの挿入端と本体の内部との間には、クッション部が設けられ、該クッション部によってカートリッジは、本体脱出方向へと付勢されることを特徴とする。
【００１１】
請求項１０記載の発明は、請求項９記載の前記クッション部が、カートリッジの挿入端に一体に形成されたものであることを特徴とする。
請求項１１記載の発明は、請求項９記載の前記クッション部が、カートリッジの挿入端と本体の内部との間に介挿されるスプリングであることを特徴とする。
【発明の効果】
【００１２】
本発明によれば、カートリッジを本体に取り付ける際には、いずれか一方に形成された係止溝にいずれか他方に形成された係止突起を挿入させつつ、カートリッジを本体に対して挿入すると係止突起が第１溝部を移動し、さらに、係止突起が第１溝部の端部に達した後、カートリッジを本体に対してツイストして回転させると、係止突起が第２溝部へと移動する。係止突起が第２溝部に移動すると、カートリッジを本体に対して挿入方向の両方向に動かそうとしても、移動することができず、カートリッジを本体に確実に取り付けることができる。カートリッジを本体から取り外す際には、逆の動作によって行う。このようなツイスト即ち回転操作が必要となるため、カートリッジは本体から容易には外れない。係止溝と係止突起との係止により、カートリッジを本体に固定する構成であり、弾性腕部を利用しないために、弾性腕部が揺動するための隙間を不要とすることができ、カートリッジの正味容積を大きくとることができる。
【００１３】
さらに、請求項２記載の発明のように、キャップを被着した場合に、キャップの着脱の際にカートリッジが不用意に外れることを防ぐことができる。
さらに、請求項３記載の発明によれば、キャップを本体に対して回転不能とすれば、キャップの着脱の際にカートリッジが不用意に外れることを確実に防ぐことができる。
【００１４】
さらに、請求項４記載の発明によれば、キャップが係止溝と係止突起とを覆うため、キャップ被着状態における見栄えを良好にすることができる。
さらに、請求項５記載の発明によれば、耳部をキャップの着脱の際の操作部とすることができ、操作性を良好にすることができる。
【００１５】
さらに、請求項６記載の発明によれば、キャップの耳部が係止溝と係止突起とを覆うため、キャップ被着状態における見栄えを良好にすることができる。
さらに、請求項７記載の発明によれば、係止突起が第２溝部へと移動するときに、その近傍にある開口が縮んで、その代わりに第２溝部を押し広がりながら移動することができる。このため、第１溝部と第２溝部との境界部における溝幅、または第２溝部の溝幅を係止突起に対して小さめに設定することができ、これによって、操作者に操作感を与えることも可能になる。また、第２溝部内に係止突起を嵌合させることができる。
【００１６】
さらに、請求項８記載の発明によれば、第１溝部から第２溝部へと係止突起を移動させる際に、操作感を与えることができ、操作者に確実に第２溝部へと入ったことを知らしめることができる。また、不用意に、係止突起が第２溝部から第１溝部へと脱出することを防ぐことができる。
さらに、請求項９及び１１記載の発明によれば、係止突起と係止溝との間に係止状態における寸法差があったとしても、クッション部によって両者が当接するように付勢されるために、ガタツキを防ぐことができる。
さらに、請求項１０記載の発明によれば、クッション部をカートリッジに一体に設けることにより、部品点数の増加を防ぐことができる。
【発明を実施するための最良の形態】
【００１７】
以下、図面を用いて本発明の実施の形態を説明する。
図１は、それぞれ、本発明に係るカートリッジ式文房具の全体図、図２はそのキャップを本体及びカートリッジから分離した状態の図である。図において、カートリッジ式文房具１０は、筆記具を構成する本体１２と、該本体１２に着脱自在の文房具のカートリッジ２０を有している。本体１２の一方の端部からは、本体１２内部に収納されたボールペンレフィール１４（図３参照）の使用（筆記）先端部１４ａが突出しており、本体１２の他方の端部からは、本体１２内に挿入されたカートリッジ２０の使用先端部２０ａが突出している。
【００１８】
尚、以下の説明において、カートリッジ２０を中心に説明するものとして、先方（前方）をカートリッジ２０の使用先端部２０ａが突出した側とし、後方をボールペンレフィール１４の使用先端部１４ａが突出した側とする。
この例の場合、カートリッジ２０は、この例では、マーカー具であるが、これに限るものではなく、修正、粘着、または蛍光テープ塗布具等の任意の交換または補充可能な文房具のカートリッジとすることができる。
【００１９】
本体１２は、互いに連結されて１つの軸を構成する第１軸筒１２Ａ、第２軸筒１２Ｂ及びテーパ軸筒１２Ｃとを有する。第１軸筒１２Ａの外周面には、弾性グリップ１３が装着されている。第１軸筒１２Ａとテーパ軸筒１２Ｃとは一体に構成することも可能であるが、この例では着脱可能に螺着されている。
【００２０】
図５に示すように、本体１２の第２軸筒１２Ｂの先端側面部には、先端開口１２ａ近傍に互いに対向する一対の半楕円状の薄肉部１２ｂ、１２ｂが形成されており、一方の薄肉部１２ｂには、切欠１２ｄと係止溝１２ｃとが形成されている。係止溝１２ｃは、先端開口１２ａ付近にある切欠１２ｄから後方へと軸方向に伸びる第１溝部１２ｃ１と、第１溝部１２ｃ１の後端に連結され第１溝部１２ｃ１と角度をなす第２溝部１２ｃ２と、からなる。第１溝部１２ｃ１はカートリッジ２０の挿入方向、即ちカートリッジ２０のほぼ軸方向に伸びるが、ここで「挿入方向」とは厳密に軸方向と一致していなくてもよく、図示したように、軸方向に対してわずかに角度を持つものも含む。これに対して、第２溝部１２ｃ２と第１溝部１２ｃ１との間には、わずかな差ではなく、有意な角度差が存在している。この例では、第２溝部１２ｃ２は、軸方向にほぼ直交する方向に伸びている。また、第１溝部１２ｃ１と第２溝部１２ｃ２との境界部は、幅狭部１２ｊとなっているとよい。幅狭部１２ｊは、溝の両側を膨出させることで形成することができる。
【００２１】
さらに、一方の薄肉部１２ｂには、第２溝部１２ｃ２と平行に開口１２ｉが形成されている。開口１２ｉは、図示のように閉じた開口に限らず、切欠１２ｄ等にまで伸びて開いた開口であってもよい。
【００２２】
他方の薄肉部１２ｂには、切欠１２ｄと、また、必要に応じて本体１２に挿入されたカートリッジ２０にアクセスするための操作窓１２ｅが形成されている。
【００２３】
図６に示したように、カートリッジ２０のケース２０ｂの側面部には、前記係止溝１２ｃに挿入される係止突起２０ｃが形成され、また、前記本体１２の一対の切欠１２ｄ、１２ｄに挿入されると共に係止突起２０ｃを移動操作させるための一対の脱離ボタン２０ｄ、２０ｄが形成され、さらに、脱離ボタン２０ｄ、２０ｄに周方向に隣接して係合凹部２０ｅ、２０ｅが形成される。脱離ボタン２０ｄの表面には操作を容易にするために凹凸及びその操作方向を示唆する矢印が刻設される。
【００２４】
カートリッジ２０には、非使用時にカートリッジ２０の使用先端部２０ａを保護するためのキャップ２２が被着される。キャップ２２は、図７に示したように、外キャップ２２Ａと内キャップ２２Ｂとから構成される。外キャップ２２Ａは、キャップ本体２２ａと、キャップ本体２２ａの側面部に形成されて後方へと伸びる一対の耳部２２ｄ、２２ｄと、耳部２２ｄ、２２ｄの両側にある突起２２ｅ、２２ｅと、を有する。キャップ本体２２ａは内キャップ２２Ｂと共に使用先端部２０ａを包囲すると共に、カートリッジ２０の使用先端部２０ａの近傍に形成された環状溝に嵌合可能となったものである。外キャップ２２Ａは、比較的硬いプラスチックの成形品で構成し、内キャップ２２Ｂは、比較的軟質のプラスチック、例えば、ポリプロピレン、ポリエチレン樹脂等の成形品で構成するとよく、これにより、軟質の内キャップ２２Ｂが、カートリッジ２０の使用先端部２０ａの周囲に密着して気密性を確保することができる。
【００２５】
耳部２２ｄ、２２ｄは、キャップ２２がカートリッジ２０に被着された被着状態において、本体１２の外側へと伸びて、本体１２の薄肉部１２ｂ、１２ｂを外方から覆う。つまり、一方の耳部２２ｄは、前記係止溝１２ｃと、該係止溝１２ｃに挿入された係止突起２０ｃとを覆い、他方の耳部２２ｄは、前記操作窓１２ｅを覆う。耳部２２ｄ、２２ｄの表面には、操作性を良好にするべく、適宜凹凸、マーク、模様等が刻設されていると良い。
突起２２ｅ、２２ｅは、キャップ２２がカートリッジ２０に被着された被着状態において、カートリッジ２０の係合凹部２０ｅ、２０ｅに挿入される。
【００２６】
次に、筆記具を構成する本体１２の内部には、前記ボールペンレフィール１４を出没させるための出没機構１６が配設される。出没機構１６は、図８に示すように、第１軸筒１２Ａに連結される第３軸筒３０と、レフィール１４の末端部に連結されるスライドカム３２と、第２軸筒１２Ｂの内周面に固定され、スライドカム３２を軸方向に移動させるカム本体３４と、リターンスプリング３６とから構成される。
【００２７】
第３軸筒３０には、その外周面の一部に第１軸筒１２Ａの雌ネジ部１２ｆ（図３参照）と螺合するための雄ネジ部３０ａが形成されており、また、その内周面には、複数のキー溝３０ｂが形成されている。さらには、第３軸筒３０の内周面には、段部３０ｃが形成され、さらに段部３０ｃに隣接して開口３０ｄが形成されている。
【００２８】
スライドカム３２には、その一端部にレフィール１４の末端部が挿入されて一体的に連結される縮径部３２ａが形成されており、また、その外周面の一部には、前記第３軸筒３０のキー溝３０ｂと噛み合う複数のキー３２ｂと、１つのカム突起３２ｃとが形成されている。
【００２９】
カム本体３４には、一端部にスリット３４ａと、スリット３４ａと重複してスリット３４ａのない外周面に周方向突起３４ｂと、周方向突起３４ｂに隣接した外周面に複数のキー３４ｃと、キー３４ｃと離間した外周面に環状突起３４ｆとが形成される。また、カム本体３４の内周面には、スライドカム３２を前後動させるためのカム面３４ｄが形成される。また、カム本体３４の内周面のカートリッジ寄りの部分には、アンダーカットの小突起３４ｅが形成される。
【００３０】
リターンスプリング３６は、第３軸筒３０の先端部とスライドカム３２との間に介挿されて、スライドカム３２及びそれに連結されたボールペンレフィール１４とを後方へと付勢している。但し、リターンスプリング３６は、この位置ではなく、テーパ軸筒１２Ｃの内部の段部とボールペンレフィール１４に形成されたバネ受け部１４ｂとの間に設けることも可能である。
【００３１】
以上の第３軸筒３０、スライドカム３２、カム本体３４及びリターンスプリング３６は、次のように組み立てられる。まず、カム本体３４内にスライドカム３２の一部を挿入して、カム本体３４のカム面３４ｄにスライドカム３２のカム突起３２ｃの端部を当接させる。また、第３軸筒３０内には、リターンスプリング３６を挿入する。そして、この状態で、スライドカム３２及びカム本体３４の一部を第３軸筒３０の中に挿入して、カム本体３４の環状突起３４ｆを、第３軸筒３０の段部３０ｃと開口３０ｄの端縁との間に挟みこんで、カム本体３４を第３軸筒３０に対して相対回転可能に係止する。同時に、スライドカム３２のキー３２ｂを第３軸筒３０のキー溝３０ｂに嵌合させる。スライドカム３２は、第３軸筒３０内で、第３軸筒３０とカム本体３４との間に挟まれて、第３軸筒３０と一体回転するように取り付けられて、これらの第３軸筒３０、スライドカム３２、カム本体３４及びリターンスプリング３６からなる出没機構１６は、一体的にユニット化された出没ユニットとなる。
【００３２】
この出没ユニットを、第２軸筒１２Ｂに挿入して、カム本体３４の周方向突起３４ｂを、第２軸筒１２Ｂに形成された段部１２ｇ（図５（ｂ）、（ｃ））に係止する。このとき、同時に、カム本体３４のキー３４ｃが、第２軸筒１２Ｂに形成された多数のキー溝１２ｈのいずれかに嵌合して、カム本体３４は第２軸筒１２Ｂと一体回転となる。カム本体３４のスリット３４ａは、組立時に周方向突起３４ｂに、第２軸筒１２Ｂの段部１２ｂを通り越させる際に、カム本体３４の一端部を窄めさせるためのものである。この出没ユニットのカム本体３４と第３軸筒３０とで、第２軸筒１２Ｂの段部１２ｇ及びキー溝１２ｈを挟みつけることで、出没ユニットが第２軸筒１２Ｂに取り付けられる。
【００３３】
そして、出没ユニットのうちの第３軸筒３０の雄ネジ部３０ａが第１軸筒１２Ａの雌ネジ部１２ｆに螺合することで、第１軸筒１２Ａと第２軸筒１２Ｂとが連結される。第２軸筒１２Ｂを第１軸筒１２Ａに対して回転すると、第２軸筒１２Ｂと一体回転するカム本体３４と、第１軸筒１２Ａに螺合された第３軸筒３０と一体回転するスライドカム３２との間で相対回転が生じ、スライドカム３２のカム突起３２ｃがカム本体３４のカム面３４ｄに沿って移動して、スライドカム３２が軸方向に移動する。そして、第２軸筒１２Ｂの第１軸筒１２Ａに対する回転方向に応じて、スライドカム３２の一体に連結されたレフィール１４が、リターンスプリング３６のバネ力に抗して、テーパ軸筒１２Ｃの先端から突出するか、または、リターンスプリング３６のバネ力の助けを借りて、テーパ軸筒１２Ｃ内へと退没するか、する。
【００３４】
以上のように構成されるカートリッジ式文房具１０において、カートリッジ２０を本体１２にセットする際には、カートリッジ２０を本体１２の第２軸筒１２Ｂの先端開口１２ａに挿入する。カートリッジ２０の係止突起２０ｃを第２軸筒１２Ｂの係止溝１２ｃの第１溝部１２ｃ１に挿入し、第１溝部１２ｃ１の端部まで移動させた後、カートリッジ２０を本体１２に対してツイストして回転させると、係止突起２０ｃが第２溝部１２ｃ２へと移動する。このとき、第１溝部１２ｃ１と第２溝部１２ｃ２との境界部にある幅狭部１２ｊによって係止突起２０ｃの挿入に抵抗を受けるために、これが操作感となって、確実にカートリッジ２０が本体１２にセットされたことを操作者に知らしめることができる。この係止突起２０ｃが第２溝部１２ｃ２へと移動するときに、その近傍にある開口１２ｉが収縮して、幅狭部１２ｊ及び第２溝部１２ｃ２を押し広がりながら係止突起を移動させることができる。このため、幅狭部１２ｊ及び第２溝部１２ｃ２の溝幅を係止突起２０ｃに対して小さめに設定することができ、第２溝部１２ｃ２内に係止突起２０ｃを嵌合して、係止突起２０ｃが第２溝部１２ｃ２から不用意に脱出しないようにすることができる。
【００３５】
そして、カートリッジ２０が本体１２にセットされた後、キャップ２２をカートリッジ２０に被着する。キャップ２２の突起２２ｅ、２２ｅが本体１２の先端開口１２ａの近傍にある縦壁縁に当接して、キャップ２２は本体１２に対して回転不能となる。よって、キャップ２２はカートリッジ被着状態では、本体１２に対して回転することはできず、従って、キャップ２２に被着されたカートリッジ２０もキャップ２２の着脱の際の移動につられて本体１２に対して回転することはない。また、キャップ２２の耳部２２ｄはカートリッジ被着状態では、係止突起２０ｃ、係止溝１２ｃ及び脱離ボタン２０ｄを覆っており、それだけでなく、キャップ２２は、カートリッジ２０の本体１２よりも露出している部分をすべて覆っており、これらに直接アクセスすることはできない。従って、キャップ２２のカートリッジ被着状態では、カートリッジ２０を直接操作することはできず、カートリッジ２０をキャップ２２に対して回転させることはできない。
【００３６】
次に、カートリッジ２０の使用先端部２０ａを使用するには、キャップ２２を引き抜いて、キャップ本体２２ａと使用先端部２０ａの近傍の環状溝との係合を外す。キャップ２２を引き抜く際には、キャップ２２の耳部２２ｄ、２２ｄを操作部としてこれらを掴んで引き抜くとよい。耳部２２ｄ、２２ｄを移動させても、カートリッジ２０が回転する方向とは異なるので、カートリッジ２０が不用意に外れることはない。
こうして、カートリッジ２０の使用先端部２０ａが露出されて、使用に供することができる。
【００３７】
カートリッジ２０の内容物が消耗して、交換する必要が出た場合には、はじめにキャップ２２を取り外す。そして、カートリッジ２０を本体１２に対して回転させて、係止突起２０ｃを係止溝１２ｃの第２溝部１２ｃ２から第１溝部１２ｃ１へと移動させた後、挿入方向と正反対方向にカートリッジ２０を移動させることで、カートリッジ２０が本体１２から外れることとなる。
【００３８】
以上のようにこの実施形態においては、カートリッジ２０が本体１２に取り付けられているときには、係止突起２０ｃが第２溝部１２ｃ２に挿入されているために、カートリッジ２０を本体１２に対して挿入方向の両方向に動かそうとしても、移動することができず、カートリッジ２０の本体１２への固定状態を確実に維持することができる。また、カートリッジ２０に弾性腕部等を形成していないために、不用意に外れることがなく、また、本体１２内部の空いている空間をカートリッジ２０の正味容積としてを十分に利用することができ、カートリッジ２０の正味容積を大きく確保することができる。
【００３９】
また、キャップ２２を被着した状態で、キャップ２２を取り外しても、その動きに追随してカートリッジ２０が移動することがなく、カートリッジ２０が本体１２から不用意に取り外されることはない。
カートリッジ２０としては、同じ種類のものに限らず、修正、粘着、または蛍光テープ塗布具のような別のカートリッジに交換することができる。
【００４０】
また、ボールペンレフィール１４を使用する場合には、第２軸筒１２Ｂを第１軸筒１２Ａに対して回転させることにより、行う。これにより、前述のように、スライドカム３２とカム本体３４との間に相対回転が生じて、スライドカム３２のカム突起３２ｃがカム本体３４のカム面３４ｄに沿って移動して、スライドカム３２及びボールペンレフィール１４が出没する。
【００４１】
図９は、本発明の他の実施形態を表す。この例では、カートリッジ２０と本体１２内の内部機構、具体的には、カム本体３４の内周段部とカートリッジ２０の端部との間にクッション部としてのスプリング４０を設けた点で、前述の実施形態と異なっている。このスプリング４０はカム本体３４の内周段部とカートリッジ２０の端部との間に介挿されて、カートリッジ２０を先端開口１２ａの方へと常時押圧しており、カートリッジ２０が本体１２にセットされた状態において、係止突起２０ｃを係止溝１２ｃ、即ち第２溝部１２ｃ２内で押し付けて、その係止突起２０ｃが第２溝部１２ｃ２内でガタツクことを防止している。尚、カートリッジ２０が取り外されたときに、スプリング４０は、カム本体３４に形成されたアンダーカットの小突起３４ｅに引っ掛かるようになっており、これによってスプリング４０の落下が防止される。この実施形態によれば、開口１２ｉを省略することも可能である。
【００４２】
図１０は、本発明の他の実施形態を表す。この例では、カートリッジ２０の挿入端に、クッション部２０ｆが一体に形成されている点で、図９の例と異なっている。クッション部２０ｆは、カートリッジ２０の挿入端部に形成された複数のスリットからなる。このようにしてクッション部２０ｆを本体１２内の内部機構に当接させることで、図９のクッション部としてのスプリングを設けたのと同様の作用効果を得ることができ、且つ、クッション部２０ｆがカートリッジ２０と一体であるために、部品点数の増加を防ぐことができる。
【図面の簡単な説明】
【００４３】
【図１】本発明に係るカートリッジ式文房具の全体図である。
【図２】図１のキャップを本体及びカートリッジから分離した状態の全体図である。
【図３】図１のカートリッジ式文房具の縦断面図である。
【図４】本発明に係るカートリッジ式文房具の分解斜視図である。
【図５】（ａ）は本体の側面図、（ｂ）は縦断面図、（ｃ）は（ｂ）とは逆の方向から見た縦断面図である。
【図６】カートリッジの側面図である。
【図７】（ａ）はキャップの側面図、（ｂ）は縦断面図である。
【図８】出没機構の分解斜視図（第３軸筒とカム本体は半分を除去した斜視図）である。
【図９】本発明の他の実施形態を表す縦断面図である。
【図１０】本発明のさらに他の実施形態のカートリッジの側面図である。
【図１１】従来のカートリッジ式文房具の分解斜視図である。
【符号の説明】
【００４４】
１０  カートリッジ式文房具
１２  本体
１２ａ  先端開口
１２ｃ  係止溝
１２ｃ１  第１溝部
１２ｃ２  第２溝部
１２ｉ  開口
１２ｊ  幅狭部
２０  カートリッジ
２０ａ  使用先端部
２０ｃ  係止突起
２０ｄ  脱離ボタン
２０ｆ  クッション部
２２  キャップ
２２ｄ  耳部
４０  スプリング（クッション部）
【図１】
2005096192.tif 000003
【図２】
2005096192.tif 000004
【図３】
2005096192.tif 000005
【図４】
2005096192.tif 000006
【図５】
2005096192.tif 000007
【図６】
2005096192.tif 000008
【図７】
2005096192.tif 000009
【図８】
2005096192.tif 000010
【図９】
2005096192.tif 000011
【図１０】
2005096192.tif 000012
【図１１】
2005096192.tif 000013